(57)【要約】【課題】法被をワンタッチで固定させることができ、着脱が容易で、動きに合わせて体にフィットし、締め付なくてもずれ落ちにくく、巻帯としての外観を損なわない巻帯を提供する。【解決手段】伸縮性のある輪状の本体部２と、本体部２の幅方向に鎖状に挿通した伸縮性のある輪状の中心布部４とを有する巻帯１であって、本体部２は前面中心部分が周方向にタックを設けて固定し幅細にしたタック部３になっており、中心布部４の後面側とタック部３とを固着した接続部５を有する構成とする。【選択図】図３
0003166372.tif 000002
【実用新案登録請求の範囲】
【請求項１】
伸縮性のある輪状の本体部と、前記本体部の幅方向に鎖状に挿通した伸縮性のある輪状の中心布部とを有し、前記本体部は前面中心部分が周方向にタックを設けて固定し幅細にしたタック部になっており、前記中心布部の後面側と前記タック部とを固着した接続部を有することを特徴とする巻帯。
【考案の詳細な説明】
【技術分野】
【０００１】
本考案は、法被を固定させるために用いる巻帯に関する。
【背景技術】
【０００２】
巻帯は、角帯と同様にお祭りなどで着る法被を腰部で固定するもので、従来、長尺の晒などで形成され、法被の上から腰部に何周も巻き前側で縛って法被を固定していた。角帯についてはリングと着接部で止めるものが知られている（例えば、特許文献１参照）。
【先行技術文献】
【特許文献】
【０００３】
【特許文献１】特開平０８−２４６２１５号公報
【考案の概要】
【考案が解決しようとする課題】
【０００４】
しかし、従来の巻帯は、着るときは何周も巻かなければならず、また、腰部の比較的低い位置で止めるため、ズボン類を脱ぎたい場合に帯を全部ほどかなければならず、着脱に時間がかかるという問題があった。また、着脱の際、巻帯は長尺のため、床についてしまうので、お手洗い等で着脱を要する時に非常に不便であるという問題があった。また、神輿を担ぐなど動きの激しい動作でも緩んでずれ落ちたり解けたりしないように、非常にきつく締めつける必要があるという問題があった。
【０００５】
巻帯は、形状がシンプルであり、着物用の帯や角帯のように飾りとなる大きな結び目がなく、したがって、巻く部分と結び目のように２パーツに分けてワンタッチ化することができないという問題があった。また、巻帯では、後ろが幅広で前に向かって幅が狭まり真ん中で縛る形状であるので、リング等を用いると外観を損なうという問題があった。
【０００６】
したがって、本考案の目的は、法被をワンタッチで固定させることができ、着脱が容易で、動きに合わせて体にフィットし、締め付なくてもずれ落ちにくく、巻帯としての外観を損なわない巻帯を提供することにある。
【課題を解決するための手段】
【０００７】
上記目的を達成するため、本考案は、次のように構成したものである。
【０００８】
本考案の第１の態様は、伸縮性のある輪状の本体部と、前記本体部の幅方向に鎖状に挿通した伸縮性のある輪状の中心布部とを有し、前記本体部は前面中心部分が周方向にタックを設けて固定し幅細にしたタック部になっており、前記中心布部の後面側と前記タック部とを固着した接続部を有することを特徴とする巻帯を提供するものである。
【考案の効果】
【０００９】
本考案の巻帯は、上述したとおりであるので、法被をワンタッチで固定させることができ、着脱が容易で、動きに合わせて体にフィットし、締め付なくてもずれ落ちにくく、巻帯としての外観を損なわない。
【図面の簡単な説明】
【００１０】
【図１】本考案の実施例１に係る巻帯の全体構成図である。
【図２】本考案の実施例１に係る巻帯の内部構造説明図である。
【図３】本考案の実施例１に係る巻帯の寸法及び縫製部分を示す説明図である。
【図４】本考案の実施例１に係る巻帯の使用例(前側)を示す図である。
【図５】本考案の実施例１に係る巻帯の使用例（後ろ側）を示す図である。
【考案を実施するための形態】
【００１１】
以下に、添付した図面を参照しながら、本考案の好適な実施例の構成及び作用を詳細に説明する。
【実施例１】
【００１２】
図１は、本考案の実施例１に係る巻帯の全体構成図である。本実施例の巻帯１は、周方向に伸縮性のある輪状の本体部２と、本体部２の幅方向に鎖状に挿通した伸縮性のある輪状の中心布部４とを有する。本体部２も中心布部４も、本実施例においては、ストレッチ素材（ＫＣ１３０２３；ポリエステル８５％ポリウレタン１５％、日本ストレッチ株式会社製）からなる。本実施例においては、伸長率は本体部２周方向で約３０％であり、幅方向で約５０％である。したがって、体にフィットして全体が伸び縮みするので、締め付けずに息苦しさを与えず、かつずれ落ちにくい。なお、本実施例の布地は優れた吸水速乾性があり肌触りがなめらかであるので、汗をかきやすく水をかけられたり大勢がもみ合ったりする可能性の高いお祭りの法被を固定するのに適する。さらに、柄をプリントすることができるので、晒を巻いて形成する巻帯と異なりファッション性にも優れる。図２は、本考案の実施例１に係る巻帯の内部構造説明図である。説明のため、中心布部４の前側の布を前方に引っ張った状態にして内部構造が分かるようにしてある。本体部２は前面中心部分が周方向にタックを設けて固定し幅細にしたタック部３になっており、中心布部４の後面側とタック部３とを固着した接続部５を有するものである。本実施例においては、中心布部４の後面側とタック部３を縫い付けることによって固着してある。したがって、激しい動きをしても中心布部４がずれるおそれがない。中心布部４の前面側はタック部３に固定していないため、前側からみたときに巻帯として不自然な印象を与えない。
【００１３】
図３は、本考案の実施例１に係る巻帯の寸法及び縫製部分を示す説明図である。本実施例においては、本体部２の周長が約７１ｃｍで幅が約３２ｃｍ、中心布部４の周長が約２４ｃｍで幅が８ｃｍであるが、これに限定されない。本体部２の周長は、胴にフィットするように１０ｃｍ程度の幅をもって、大人用や子供用など複数サイズを設けることができる。本体部２は周方向の伸縮性に富み、したがって、細かくサイズを用意しなくても２−３種類あれば幅広い体型に対応が可能である。本体部２の上下は２本針裏振りで縫製してある。したがって、縫い目が生地に合わせて伸び縮みしかつ縫い目が丈夫であるので、本体部２周方向の伸縮性を妨げず、かつ激しい動きでもほつれにくい。
【００１４】
タック部３は、布地をつまんで縫ったひだであるタックを、下側に輪ができるように設けて形成されている。縫製前の本体部２の幅は一定であるが、タック部３でひだを寄せることによって一部細くしてある。したがって、巻帯特有の皺が再現されるとともに体型をカバーし腰部でのフィット感を高めることができる。タックは本実施例では５本設けてあるが、これに限定されない。小環状の中心布部４によって固定されている部分、つまりタック部３の縦方向の長さ（本体部２の幅方向）は、本体部２の後ろ側の幅より細く、好ましくは本体部２の幅の半分以下である。本実施例においては、タック部３の縦方向の長さは、１２ｃｍである。中心布部４は、押さえステッチで本体部２のタック部３に縫い付けてあり、本体部２の前側部分を輪の内側から見たときにそのステッチが視認できる。
【００１５】
図４は、本考案の実施例１に係る巻帯の使用例(前側)を示す図である。巻帯１は、法被を着た後に、頭から被ったりあるいは両足を入れて引き上げたりして、腰部にフィットさせて、本物品の幅細になっている側を前にして、腹側の中心に中心布部４がくるように装着する。図５は、本考案の実施例１に係る巻帯の使用例（後ろ側）を示す図である。巻帯１は、背中側では晒の巻帯と同様に結び目はない。巻帯１は、伸縮性が高い輪状の巻帯であるので、晒の巻帯と異なり、巻き付けたりほどいたりする作業を要せずに容易に着脱できる。
【００１６】
本実施例によれば、法被をワンタッチで固定させることができ、着脱が容易で、動きに合わせて体にフィットし、締め付なくてもずれ落ちにくく、巻帯としての外観を損なわない。
【００１７】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【００１８】
例えば、上記実施例においては、ポリエチレンとポリウレタンの混紡素材の巻帯を例示したが、周方向に伸縮性があれば他の布地でもよい。
【符号の説明】
【００１９】
１  巻帯
２  本体部
３  タック部
４  中心布部
５  接続部
【図１】
0003166372.tif 000003
【図２】
0003166372.tif 000004
【図３】
0003166372.tif 000005
【図４】
0003166372.tif 000006
【図５】
0003166372.tif 000007